(57)【要約】    【課題】  回路基板に直接触れることが困難な場合であっても、回路基板上の情報を確認可能にすることができるＩＣタグを提供すると共に、当該ＩＣタグを用い、回路基板に直接触れることなく故障の状態を診断することができる故障診断装置及び故障診断方法を提供する。    【解決手段】  電子機器１２に収容された電子回路基板２０に故障が発生した場合に、当該電子回路基板２０上の所定位置に配設された温度センサ付き無線タグ２６との間の無線での通信により取得した情報に基づいて前記所定位置の異常による故障か否かを診断するに際し、無線タグリーダ１４は、正常動作時における回路基板上の所定位置の温度情報を予めメモリ６４に記憶しておき、前記通信により取得した前記所定位置の温度情報及びメモリ６４に記憶された温度情報に基づいて前記所定位置の温度が異常か否かを判定し、異常であると判定したときは電子回路基板２０の故障が前記所定位置の異常によるものであると判定し、当該判定結果を報知する。    【選択図】  図１
2005222291.tif 000002
【特許請求の範囲】
【請求項１】
外部装置との間の通信を無線で行う通信手段と、
前記通信により前記外部装置に出力される情報を記憶する記憶手段と、
周囲の温度を検出する温度検出手段と、
前記温度検出手段により検出された温度を示す温度情報が前記記憶手段に記憶されるように前記温度検出手段及び前記記憶手段を制御する制御手段と、
を備えたＩＣタグ。
【請求項２】
回路基板に故障が発生した場合に、当該回路基板上の所定位置に配設された請求項１記載のＩＣタグとの無線での通信により取得した情報に基づいて前記所定位置の異常による故障か否かを診断する故障診断装置であって、
正常動作時における回路基板上の所定位置の温度情報を予め記憶した正常温度記憶手段と、
前記通信により取得した前記所定位置の温度情報及び前記正常温度記憶手段に記憶された温度情報に基づいて前記所定位置の温度が異常か否かを判定し、異常であると判定したときは前記所定位置の異常による故障であると判定する判定手段と、
前記判定手段による判定結果を報知する報知手段と、
を備えた故障診断装置。
【請求項３】
前記所定位置を複数の位置とした
請求項２記載の故障診断装置。
【請求項４】
回路基板に故障が発生した場合に、当該回路基板上の所定位置に配設された請求項１記載のＩＣタグとの無線での通信により取得した情報に基づいて前記所定位置の異常による故障か否かを診断する故障診断方法であって、
正常動作時における回路基板上の所定位置の温度情報を予め正常温度記憶手段に記憶しておき、
前記通信により取得した前記所定位置の温度情報及び前記正常温度記憶手段に記憶された温度情報に基づいて前記所定位置の温度が異常か否かを判定し、異常であると判定したときは前記回路基板の故障が前記所定位置の異常によるものであると判定し、
当該判定結果を報知する
故障診断方法。
【請求項５】
外部装置との間の通信を無線で行う通信手段と、
前記通信により前記外部装置に出力される情報を記憶する記憶手段と、
流れている電流が所定レベルを超えたときに当該電流の流れを遮断する遮断手段と、
前記遮断手段により前記電流の流れが遮断されたか否かを判定し、当該判定結果を示す電流情報が前記記憶手段に記憶されるように前記記憶手段を制御する制御手段と、
を備えたＩＣタグ。
【請求項６】
回路基板に故障が発生した場合に、当該回路基板上の所定位置に配設された請求項５記載のＩＣタグとの無線での通信により取得した情報に基づいて故障診断を行う故障診断装置であって、
前記通信により取得した前記所定位置の電流情報が前記所定位置における電流の遮断を示すものであったときは、前記回路基板の故障が前記所定位置における電流の遮断によるものであると判定する判定手段と、
前記判定手段による判定結果を報知する報知手段と、
を備えた故障診断装置。
【請求項７】
前記所定位置を複数の位置とした
請求項６記載の故障診断装置。
【請求項８】
回路基板に故障が発生した場合に、当該回路基板上の所定位置に配設された請求項５記載のＩＣタグとの無線での通信により取得した情報に基づいて故障診断を行う故障診断方法であって、
前記通信により取得した前記所定位置の電流情報が前記所定位置における電流の遮断を示すものであったときは、前記回路基板の故障が前記所定位置における電流の遮断によるものであると判定し、
当該判定結果を報知する
故障診断方法。
【発明の詳細な説明】
【技術分野】
【０００１】
本発明は、外部装置との間の通信を無線で行うＩＣタグ、当該ＩＣタグを用いて故障を診断する故障診断装置及び故障診断方法に関する。
【背景技術】
【０００２】
デジタルカメラ、携帯電話、ＰＤＡ（Personal Digital Assistant）等の電子機器に故障が発生した場合、当該電子機器に収容された回路基板上のヒューズ切れや電子部品の故障等が原因として挙げられるが、これらに起因する故障の場合、回路基板を直接確認しなければ故障の原因を特定することができない。
【０００３】
この種の電子機器では、回路基板はユーザに直接触れられることがないようにケーシングに収容されており、簡単には回路基板を視認することができない。また、回路基板を視認できる状態にしても、さらに回路基板に直接テスター等をあてがって確認する必要があり、当該確認の作業には多大な労力を要する。
【０００４】
この種のケーシングに収容された回路基板に発生した異常を容易に検出する技術に適用し得る技術として、従来、検知領域にＩＣタグを配置し、配置されたＩＣタグの識別情報と座標情報の対応関係を確定すると共に、必要に応じてＩＣタグに対する付随情報を書き込む技術が記載されている（例えば、特許文献１参照。）。
【０００５】
すなわち、当該従来の技術によれば、部品ケースの各ボックスの位置情報と中身の情報を把握することによって部品を管理する等、中身を直接見ることなく、中身を把握することができる。
【特許文献１】特開２０００−３４２０公報
【発明の開示】
【発明が解決しようとする課題】
【０００６】
しかしながら、上記従来の技術をそのまま故障の原因の特定に適用した場合、回路基板上のヒューズの位置や電子部品の位置等を識別することはできても、ヒューズの状態（切れているか否か）や電子部品の故障の有無については回路基板に直接触れなければ確認できない、という問題点があった。
【０００７】
一方、回路基板の点検等を行なう際にも、回路基板をケーシングから取出すことなく状態を確認可能であることが好ましい。
【０００８】
本発明は上記問題点を解決するためになされたものであり、回路基板に直接触れることが困難な場合であっても、回路基板上の情報を確認可能にすることができるＩＣタグを提供すると共に、当該ＩＣタグを用い、回路基板に直接触れることなく故障の状態を診断することができる故障診断装置及び故障診断方法を提供することを目的とする。
【課題を解決するための手段】
【０００９】
上記目的を達成するために、請求項１記載のＩＣタグは、外部装置との間の通信を無線で行う通信手段と、前記通信により前記外部装置に出力される情報を記憶する記憶手段と、周囲の温度を検出する温度検出手段と、前記温度検出手段により検出された温度を示す温度情報が前記記憶手段に記憶されるように前記温度検出手段及び前記記憶手段を制御する制御手段と、を備えている。
【００１０】
請求項１記載のＩＣタグでは、通信手段により外部装置との間の通信が無線で行われると共に、前記通信により前記外部装置に出力される情報が記憶手段に記憶される。
【００１１】
なお、上記記憶手段には、ＲＡＭ、ＥＥＰＲＯＭ、フラッシュメモリ等の半導体記憶素子が含まれる。
【００１２】
ここで、本発明に係るＩＣタグには、周囲の温度を検出する温度検出手段が備えられており、制御手段によって、前記温度検出手段により検出された温度を示す温度情報が前記記憶手段に記憶されるように前記温度検出手段及び前記記憶手段が制御される。
【００１３】
すなわち、本発明に係るＩＣタグでは、外部装置との無線での通信により、検出した周囲の温度を示す温度情報を外部装置に出力するようにしているので、当該ＩＣタグを物体内部の所望の位置に配設しておき、外部装置によりＩＣタグとの無線通信を行うだけで、物体を分解したり破壊したりすることなく所望の位置の温度を把握することができる。
【００１４】
また、上記温度検出手段としては、サーミスタ、熱電対等の温度センサや、サーモパイル等の赤外線センサ等を適用することができる。
【００１５】
このように、請求項１記載のＩＣタグは、外部装置との間の通信を無線で行う通信手段と、前記通信により前記外部装置に出力される情報を記憶する記憶手段と、周囲の温度を検出する温度検出手段と、を備え、前記温度検出手段により検出された温度を示す温度情報が前記記憶手段に記憶されるように前記温度検出手段及び前記記憶手段を制御しているので、周囲の温度を示す温度情報を無線での通信により外部装置に出力することができ、回路基板に直接触れることが困難な場合であっても、回路基板上の情報を確認可能にすることができる。
【００１６】
なお、上記ＩＣタグは、ＲＦＩＤ（Radio Frequency Identification）自動認証技術を利用して非接触で通信を行ない、内部に搭載されたＩＣメモリ内のデジタル情報のやり取り通して物品管理や自動識別等を行なうデジタル・メディアである。
【００１７】
また、上記目的を達成するために、請求項２記載の故障診断装置は、回路基板に故障が発生した場合に、当該回路基板上の所定位置に配設された請求項１記載のＩＣタグとの無線での通信により取得した情報に基づいて前記所定位置の異常による故障か否かを診断する故障診断装置であって、正常動作時における回路基板上の所定位置の温度情報を予め記憶した正常温度記憶手段と、前記ＩＣタグとの通信により取得した前記所定位置の温度情報及び前記正常温度記憶手段に記憶された温度情報に基づいて前記所定位置の温度が異常か否かを判定し、異常であると判定したときは前記所定位置の異常による故障であると判定する判定手段と、前記判定手段による判定結果を報知する報知手段と、を備えている。
【００１８】
請求項２に係る発明では、正常動作時における回路基板上の所定位置の温度情報が予め正常温度記憶手段に記憶されると共に、判定手段により、前記回路基板上の前記所定位置に配設された請求項１記載のＩＣタグとの通信により取得された温度情報及び前記正常温度記憶手段に記憶された温度情報に基づいて前記所定位置の温度が異常か否かが判定され、異常であると判定されたときは前記所定位置の異常による故障であると判定されて判定結果が報知手段により報知される。
【００１９】
すなわち、当該ＩＣタグを、故障が発生した場合に周囲の温度が正常動作時と異なる温度を示すと予測される回路基板上の所定位置に配設することにより、回路基板に直接触れることなく温度の異常を伴なう故障の有無を診断することができる。
【００２０】
なお、上記報知手段としては、音声の再生やブザーの鳴動を行なうスピーカ、メッセージやマーク等の画像を表示する表示装置、点灯、消灯や点滅を行なう発光素子等を適用することができる。
【００２１】
このように、請求項２記載の発明によれば、回路基板に故障が発生した場合に、当該回路基板上の所定位置に配設された請求項１記載のＩＣタグとの無線での通信により取得した情報に基づいて前記所定位置の異常による故障か否かを診断するに際し、正常動作時における回路基板上の所定位置の温度情報を予め正常温度記憶手段に記憶しておき、前記通信により取得した前記所定位置の温度情報及び前記正常温度記憶手段に記憶された温度情報に基づいて前記所定位置の温度が異常か否かを判定し、異常であると判定したときは前記回路基板の故障が前記所定位置の異常によるものであると判定し、当該判定結果を報知するようにしているので、回路基板に直接触れることなく故障の状態を診断することができる。
【００２２】
また、請求項２記載の発明は、請求項３記載の発明のように、前記所定位置を複数の位置とすることもできる。これによれば、ＩＣタグを回路基板上の複数箇所に配設するので、回路基板に直接触れることなく、より詳細に故障の状態を診断することができる。
【００２３】
さらに、上記目的を達成するために、請求項４記載の故障診断方法は、回路基板に故障が発生した場合に、当該回路基板上の所定位置に配設された請求項１記載のＩＣタグとの無線での通信により取得した情報に基づいて前記所定位置の異常による故障か否かを診断する故障診断方法であって、正常動作時における回路基板上の所定位置の温度情報を予め正常温度記憶手段に記憶しておき、前記通信により取得した前記所定位置の温度情報及び前記正常温度記憶手段に記憶された温度情報に基づいて前記所定位置の温度が異常か否かを判定し、異常であると判定したときは前記回路基板の故障が前記所定位置の異常によるものであると判定し、当該判定結果を報知するように制御するものである。
【００２４】
したがって、請求項４に記載の故障診断方法によれば、上記請求項２に記載の発明と同様に作用するので、請求項２に係る発明と同様に、回路基板に直接触れることなく故障の状態を診断することができる。
【００２５】
一方、上記目的を達成するために、請求項５に記載のＩＣタグは、外部装置との間の通信を無線で行う通信手段と、前記通信により前記外部装置に出力される情報を記憶する記憶手段と、流れている電流が所定レベルを超えたときに当該電流の流れを遮断する遮断手段と、前記遮断手段により前記電流の流れが遮断されたか否かを判定し、当該判定結果を示す電流情報が前記記憶手段に記憶されるように前記記憶手段を制御する制御手段と、を備えている。
【００２６】
請求項５記載のＩＣタグでは、通信手段により外部装置との間の通信が無線で行われると共に、前記通信により前記外部装置に出力される情報が記憶手段に記憶される。
【００２７】
なお、上記記憶手段には、ＲＡＭ、ＥＥＰＲＯＭ、フラッシュメモリ等の半導体記憶素子が含まれる。
【００２８】
ここで、請求項５に係るＩＣタグには、流れている電流が所定レベルを超えたときに当該電流の流れを遮断する遮断手段が備えられており、制御手段によって、前記遮断手段により前記電流の流れが遮断されたか否かが判定され、当該判定結果を示す電流情報が前記記憶手段に記憶されるように前記記憶手段が制御される。
【００２９】
すなわち、請求項５に係るＩＣタグでは、外部装置との無線での通信により、電流の流れが遮断されたか否かを示す電流情報を外部装置に出力するようにしているので、当該ＩＣタグを物体内部の所望の位置に配設しておき、外部装置によりＩＣタグとの無線通信を行うだけで、物体を分解したり破壊したりすることなく所望の位置において電流の流れが遮断されているか否かを把握することができる。
【００３０】
なお、上記遮断手段としては、管ヒューズ、リセッタブルヒューズ及びチップ型ヒューズ等、回路の下流側に配設された素子等の保護を目的として電流の流れを遮断する素子を適用することができる。
【００３１】
このように、請求項５記載のＩＣタグは、外部装置との間の通信を無線で行う通信手段と、前記通信により前記外部装置に出力される情報を記憶する記憶手段と、流れている電流が所定レベルを超えたときに当該電流の流れを遮断する遮断手段と、を備え、前記遮断手段により前記電流の流れが遮断されたか否かを判定し、当該判定結果を示す電流情報が前記記憶手段に記憶されるように前記記憶手段を制御しているので、所定位置において電流の流れが遮断されたか否かを示す電流情報を無線での通信により外部装置に出力することができ、回路基板に直接触れることが困難な場合であっても、回路基板上の情報を確認可能にすることができる。
【００３２】
なお、上記ＩＣタグは、ＲＦＩＤ（Radio Frequency Identification）自動認証技術を利用して非接触で通信を行ない、内部に搭載されたＩＣメモリ内のデジタル情報のやり取り通して物品管理や自動識別等を行なうデジタル・メディアである。
【００３３】
また、上記目的を達成するために、請求項６記載の故障診断装置は、回路基板に故障が発生した場合に、当該回路基板上の所定位置に配設された請求項５記載のＩＣタグとの無線での通信により取得した情報に基づいて故障診断を行う故障診断装置であって、前記通信により取得した前記所定位置の電流情報が前記所定位置における電流の遮断を示すものであったときは、前記回路基板の故障が前記所定位置における電流の遮断によるものであると判定する判定手段と、前記判定手段による判定結果を報知する報知手段と、を備えている。
【００３４】
請求項６記載の発明では、回路基板上の所定位置に配設された請求項５記載のＩＣタグとの通信により取得された電流情報が、前記所定位置における電流の遮断を示すものであったときは、回路基板の故障が前記所定位置における電流の遮断によるものであったと判定されて判定結果が報知手段により報知される。
【００３５】
すなわち、回路基板上において、流れる電流が所定レベルを超えた場合に損傷すると予測される部位の上流側の所定位置に本発明のＩＣタグを配設することにより、当該ＩＣタグの遮断手段による電流の流れの遮断により損傷すると予測される部位の損傷を未然に防止できると共に、回路基板を直接見なくても、電流の流れの遮断による故障に関する情報を確認可能にすることができる。
【００３６】
なお、上記報知手段としては、音声の再生やブザーの鳴動を行なうスピーカ、メッセージやマーク等の画像を表示する表示装置、点灯、消灯や点滅を行なう発光素子等を適用することができる。
【００３７】
このように、請求項６記載の発明によれば、回路基板に故障が発生した場合に、当該回路基板上の所定位置に配設された請求項５記載のＩＣタグとの無線での通信により取得した情報に基づいて故障診断を行うに際し、前記通信により取得した前記所定位置の電流情報が前記所定位置における電流の遮断を示すものであったときは、前記回路基板の故障が前記所定位置における電流の遮断によるものであると判定し、当該判定結果を報知するようにしているので、回路基板に直接触れることなく故障の状態を診断することができる。
【００３８】
また、請求項６記載の発明は、請求項７記載の発明のように、前記所定位置を複数の位置とすることもできる。これによれば、ＩＣタグを回路基板上の複数箇所に配設するので、回路基板に直接触れることなく、より詳細に故障の状態を診断することができる。
【００３９】
さらに、上記目的を達成するために、請求項８記載の故障診断方法は、回路基板に故障が発生した場合に、当該回路基板上の所定位置に配設された請求項５記載のＩＣタグとの無線での通信により取得した情報に基づいて故障診断を行う故障診断方法であって、前記通信により取得した前記所定位置の電流情報が前記所定位置における電流の遮断を示すものであったときは、前記回路基板の故障が前記所定位置における電流の遮断によるものであると判定し、当該判定結果を報知するように制御するものである。
【００４０】
したがって、請求項８に記載の故障診断方法によれば、上記請求項６に記載の発明と同様に作用するので、請求項６に係る発明と同様に、回路基板に直接触れることなく故障の状態を診断することができる。
【発明の効果】
【００４１】
以上説明したように、本発明に係るＩＣタグは、外部装置との間の通信を無線で行う通信手段と、前記通信により前記外部装置に出力される情報を記憶する記憶手段と、周囲の温度を検出する温度検出手段と、を備え、前記温度検出手段により検出された温度を示す温度情報が前記記憶手段に記憶されるように前記温度検出手段及び前記記憶手段を制御しているので、周囲の温度を示す温度情報を無線での通信により外部装置に出力することができ、回路基板に直接触れることが困難な場合であっても、回路基板上の情報を確認可能にすることができ、当該ＩＣタグを用いた故障診断装置及び故障診断方法によれば、回路基板に直接触れることなく故障の状態を診断することができる、という優れた効果を有する。
【発明を実施するための最良の形態】
【００４２】
以下、図面を参照して、発明を実施するための最良の形態について詳細に説明する。
【００４３】
まず、図１を参照して、本実施の形態に係る故障診断システム１０の構成について説明する。同図に示すように、故障診断システム１０は、電子回路基板２０を備えた電子機器１２と、無線タグとの間の無線での通信を行なう無線タグリーダ１４と、を含んで構成されている。また、無線タグリーダ１４は、各種情報を表示するためのＬＣＤ６６を備えている。
【００４４】
図２には、本実施の形態に係る電子回路基板２０に素子や電子部品が実装された状態が模式的に示されている。同図に示すように、電子回路基板２０上には、ＩＣ（Integrated Circuit）２２や抵抗器、コンデンサ等の各種電子部品が実装されている。
【００４５】
また、電子回路基板２０には、温度センサ付き無線タグ２６と、ヒューズ付き無線タグ２８と、の２種類の無線タグがそれぞれ複数個配設されている。温度センサ付き無線タグ２６は、電子回路基板２０上の中央及び４隅及び各ＩＣ２２の実装位置近傍に、ヒューズ付き無線タグ２８は、当該電子回路における各ＩＣ２２の上流側の所定位置に、それぞれ配設されている。
【００４６】
図３には、本実施の形態に係る温度センサ付き無線タグ２６の構成が一例として示されている。同図に示すように、温度センサ付き無線タグ２６は、外部装置（無線タグリーダ１４）との通信を制御する通信制御部３０と、全体の動作を制御するＣＰＵ３２と、サーミスタを含んで構成されて周囲の温度を検出する温度センサ３４と、メモリ３６と、コンデンサ３８と、を含んで構成されている。
【００４７】
メモリ３６には、当該温度センサ付き無線タグ２６の電子回路基板２０上の配設位置を示す位置情報が予め記憶されている。
【００４８】
また、コンデンサ３８は、外部装置からの電波に応じて電磁誘導により発生した起電力を一旦蓄積すると共に、当該蓄積した電力を駆動電力を必要とする各部に供給する。
【００４９】
そして、ＣＰＵ３２は、温度センサ３４により検出された温度を示す温度情報の取得、取得した温度情報のメモリ３６の所定領域への書込み及び通信制御部３０を介した位置情報及び温度情報の外部装置への送信をそれぞれ行なう。
【００５０】
図４には、本実施の形態に係るヒューズ付き無線タグ２８の構成が一例として示されている。同図に示すように、ヒューズ付き無線タグ２８は、ヒューズ４０と、無線タグ部４２と、コンデンサ４４と、を含んで構成されている。
【００５１】
ヒューズ４０は、過電流印加によりジュール発熱で溶解して断線する可溶体を含んで構成されると共に、電子回路基板２０上で保護対象となるＩＣ２２に直列に接続されている。
【００５２】
コンデンサ４４は一端がヒューズ４０の高電圧レベル側の位置Ａに接続されると共に、他端は無線タグ部４２に接続されており、無線タグ部４２は電子機器１２のグランドに接続されている。
【００５３】
また、無線タグ部４２は、外部装置（無線タグリーダ１４）との通信を制御する通信制御部４６と、全体の動作を制御するＣＰＵ４８と、メモリ５０と、コンデンサ５２と、を含んで構成されている。
【００５４】
メモリ５０には、ヒューズ付き無線タグ２８の電子回路基板２０上の配設位置を示す位置情報が予め記憶されている。
【００５５】
また、コンデンサ５２は、外部装置からの電波に応じて電磁誘導により発生した起電力を各部に供給する。
【００５６】
そして、ＣＰＵ４８は、位置Ａの電圧レベルに基づくヒューズ４０による電流の遮断状態の検出、検出した遮断状態に応じた電流情報のメモリ５０の所定領域への書き込み、通信制御部４６を介した位置情報及び電流情報の外部装置への送信、をそれぞれ行なう。
【００５７】
図５は、無線タグリーダ１４の電気系の構成のうち、本発明に特に関係する部位のみを示すブロック図である。同図に示すように、無線タグリーダ１４は、全体の動作を制御するＣＰＵ６０、無線による通信を行なう通信制御部６２、メモリ６４及び画像を表示可能なＬＣＤ６６を含んで構成されている。
【００５８】
ＣＰＵ６０は、メモリ６４をワークエリアとして用い、通信制御部６２を介した外部の無線タグとの通信が可能であると共に、通信状況や各種情報等のＬＣＤ６６による表示を行なう。
【００５９】
また、メモリ６４には、故障診断処理（詳細は後述する）において用いられる、上述した電子回路１２が正常に動作している場合の電子回路基板２０上の温度分布が予め記憶されている。
【００６０】
次に、本実施の形態の作用を説明する。
【００６１】
電子機器１２の動作中に、収容された電子回路基板２０に配設されたヒューズ付き無線タグ２８に所定量を超える電流が流れると、ヒューズ付き無線タグ２８では、ヒューズ４０の可溶体が溶解して断線して位置Ａの電圧レベルが急激に変化し、これに伴ない、無線タグ部４２に印加される電圧レベルも変化する。
【００６２】
無線タグ部４２のＣＰＵ４８では、当該電圧レベルの変化を検出すると、ヒューズ４０が電流の流れを遮断したことを示す電流情報をメモリ５０の所定領域に書き込む。
【００６３】
これにより、電子機器１２は、正常な動作が不可能となる。
【００６４】
また、電子機器１２は、ＩＣ２２等の電子部品に何らかの不良が発生した場合にも正常な動作が不可能となる。
【００６５】
ところで、本実施の形態では、電子機器１２が正常に動作せず、故障したと見なされた場合、無線タグリーダ１４によって、電子機器１２に収容された電子回路基板２０上に配設された温度センサ付き無線タグ２６及びヒューズ付き無線タグ２８との間での無線通信により電子回路基板２０上の情報を取得すると共に、取得した情報に基づいて電子回路基板２０に実装された素子や電子部品等の損傷や異常に起因する故障を診断する故障診断処理を実行させることができる。
【００６６】
図６は、無線タグリーダ１４での当該故障診断処理の実行時にＣＰＵ６０が実行する故障診断処理プログラムの処理の流れを示すフローチャートであり、以下、同図を参照して本実施の形態に係る故障診断処理について説明する。
【００６７】
まず、ステップ１００では、電子回路基板２０上に配設された全ての無線タグとの通信を行ない、次のステップ１０２では、各無線タグとの通信により得られた複数の電流情報及び複数の温度情報をそれぞれ位置情報と関連付けしてメモリ６４の所定領域に記憶する。
【００６８】
ここで、無線タグリーダ１４による無線での通信が開始されると、温度センサ付き無線タグ２６では、無線タグリーダ１４からの電波に応じた電磁誘導により発生した起電力の各部への供給をコンデンサ３８により行ない、温度センサ３４により周囲の温度が検出され、当該検出された温度を示す温度情報がＣＰＵ３２によりメモリ３６に記憶される。その後、ＣＰＵ３２は、通信制御部３０を介してメモリ３６に記憶された位置情報及び温度情報を無線タグリーダ１４に出力する。
【００６９】
一方、ヒューズ付き無線タグ２８では、無線タグリーダ１４からの電波に応じた電磁誘導により発生した起電力の各部への供給をコンデンサ５２により行ない、ＣＰＵ４８により通信制御部４６を介してメモリ５０に記憶された位置情報及び電流情報を無線タグリーダ１４に出力する。
【００７０】
これにより、無線タグリーダ１４では、電子回路基板２０上の各位置における電流情報及び温度情報を把握できる。
【００７１】
次のステップ１０４では、電流遮断箇所の有無を判定し、メモリ６４に記憶した電流情報に電流の遮断を示す情報があった場合は当該判定が肯定判定となって、ステップ１０６に移行し、電流の遮断箇所を特定し、その後ステップ１０８に移行して、遮断箇所の報知を行ない、その後に本故障診断処理プログラムを終了する。
【００７２】
上記電流の遮断箇所の特定は、電流の遮断を示す電流情報と関連付けされた位置情報に基づいて行なわれ、特定された遮断箇所は、ＬＣＤ６６に簡単な回路図と共に、遮断箇所及び遮断されていることが判別可能な図形や文字を表示することにより報知される。
【００７３】
一方、ステップ１０４で否定判定となった場合はステップ１１０に移行して、メモリ６４の所定領域に記憶した温度情報に基づいて、電子回路基板２０上の温度分布を作成し、その後にステップ１１２に移行して、正常動作時の温度分布と作成した温度分布とを比較し、次のステップ１１４では、作成した温度分布に異常があるか否かを判定する。
【００７４】
ステップ１１４で肯定判定となった場合はステップ１１６に移行し、温度が異常であった箇所を特定して、ステップ１１８に移行して、温度異常箇所の報知としてＬＣＤ６６により温度が異常と判断された位置及び温度が異常であった旨を表示し、その後に本故障診断処理プログラムを終了する。
【００７５】
一方、ステップ１１４で否定判定となった場合は、ステップ１２０に移行して、ＬＣＤ６６により異常箇所が特定されなかったことを報知し、その後に本故障診断処理プログラムを終了する。
【００７６】
以上詳細に説明したように、本実施の形態によれば、温度センサ付き無線タグ２６は、無線タグリーダ１４との間の通信を無線で行う通信制御部３０と、前記通信により無線タグリーダ１４に出力される情報を記憶するメモリ３６と、周囲の温度を検出する温度センサ３４と、を備え、温度センサ３４により検出された温度を示す温度情報がメモリ３６に記憶されるように温度センサ３４及びメモリ３６を制御しているので、周囲の温度を示す温度情報を無線での通信により無線タグリーダ１４に出力することができ、電子回路基板２０に直接触れることが困難な場合であっても、電子回路基板２０上の情報を確認可能にすることができる。
【００７７】
また、本実施の形態によれば、電子回路基板２０に故障が発生した場合に、当該電子回路基板２０上の所定位置に配設された温度センサ付き無線タグ２６との無線での通信により取得した情報に基づいて前記所定位置の異常による故障か否かを診断する際に、正常動作時における回路基板上の所定位置の温度情報を予めメモリ６４に記憶しておき、前記通信により取得した前記所定位置の温度情報及びメモリ６４に記憶された温度情報に基づいて前記所定位置の温度が異常か否かを判定し、異常であると判定したときは電子回路基板２０の故障が前記所定位置の異常によるものであると判定し、当該判定結果を報知するようにしているので、電子回路基板２０に直接触れることなく故障の状態を診断することができる。
【００７８】
さらに、本実施の形態では、前記所定位置を複数の位置としており、温度センサ付き無線タグ２６を電子回路基板２０上の複数箇所に配設しているので、電子回路基板２０に直接触れることなく、より詳細に故障の状態を診断することができる。
【００７９】
一方、ヒューズ付き無線タグ２８は、無線タグリーダ１４との間の通信を無線で行う通信制御部４６と、前記通信により無線タグリーダ１４に出力される情報を記憶するメモリ５０と、流れている電流が所定レベルを超えたときに当該電流の流れを遮断するヒューズ４０と、を備え、ヒューズ４０により前記電流の流れが遮断されたか否かを判定し、当該判定結果を示す電流情報がメモリ５０に記憶されるようにメモリ５０を制御しているので、所定位置において電流の流れが遮断されたか否かを示す電流情報を無線での通信により無線タグリーダ１４に出力することができ、電子回路基板２０に直接触れることが困難な場合であっても、電子回路基板２０上の情報を確認可能にすることができる。
【００８０】
また、本実施の形態では、電子回路基板２０に故障が発生した場合に、当該電子回路基板２０上の所定位置に配設されたヒューズ付き無線タグとの無線での通信により取得した情報に基づいて故障診断を行う際に、前記通信により取得した前記所定位置の電流情報が前記所定位置における電流の遮断を示すものであったときは、電子回路基板２０の故障が前記所定位置における電流の遮断によるものであると判定し、当該判定結果を報知するようにしているので、電子回路基板２０に直接触れることなく故障の状態を診断することができる。
【００８１】
さらに、本実施の形態では、前記所定位置を複数の位置としており、ヒューズ付き無線タグ２８を電子回路基板２０上の複数箇所に配設しているので、電子回路基板２０に直接触れることなく、より詳細に故障の状態を診断することができる。
【００８２】
なお、上記実施の形態では、故障を診断するために無線タグとの通信を行なうものとして説明したが、電子回路の動作状態を確認するために無線タグとの通信を行なうようにしてもよい。
【００８３】
また、温度センサ付き無線タグ２６又はヒューズ付き無線タグの何れか一方のみを電子回路基板２０上に配設するようにしてもよい。
【００８４】
さらに、本実施の形態では、診断結果の報知をＬＣＤ６６への図形や文字の表示により行なうものとして説明したが、本発明はこれに限定されるものではなく、スピーカを用いた音声による報知としてもよいし、光の点灯、点滅等による報知としてもよい。
【００８５】
なお、本実施の形態で説明したフローチャート（図６参照）の処理の流れは一例であり、本発明の主旨を逸脱しない範囲内において適宜変更可能であることは言うまでもない。例えば、故障の状態によって温度又は遮断の何れか一方をユーザが指定できるようにし、指定された情報に基づいて故障診断を行なうようにしてもよい。
【００８６】
さらに、以上の故障診断システム１０の構成（図１乃至図５参照）は一例であり、本発明の主旨を逸脱しない範囲内において適宜変更可能であることは言うまでもない。
【図面の簡単な説明】
【００８７】
【図１】実施の形態に係る故障診断システムの構成を示す概略図である。
【図２】実施の形態に係る電子機器に収容された電子回路基板に電子部品が配設された状態を示す模式図である。
【図３】実施の形態に係る温度センサ付き無線タグの電気的な構成を示すブロック図である。
【図４】実施の形態に係るヒューズ付き無線タグの電気的な構成を示すブロック図である。
【図５】実施の形態に係る無線タグリーダの電気的な構成のうち、実施の形態に特に関係する部分のみを示すブロック図である。
【図６】実施の形態に係る故障診断処理プログラムの処理の流れを示すフローチャートである。
【符号の説明】
【００８８】
１４    無線タグリーダ（故障診断装置）
２０    電子回路基板（回路基板）
２６    温度センサ付き無線タグ（ＩＣタグ）
２８    ヒューズ付き無線タグ（ＩＣタグ）
３０    通信制御部（通信手段）
３２    ＣＰＵ（制御手段）
３４    温度センサ（温度検出手段）
３６    メモリ（記憶手段）
４０    ヒューズ（遮断手段）
４６    通信制御部（通信手段）
４８    ＣＰＵ（制御手段）
５０    メモリ（記憶手段）
６０    ＣＰＵ（判定手段）
６４    メモリ（正常温度記憶手段）
６６    ＬＣＤ（報知手段）
【図１】
2005222291.tif 000003
【図２】
2005222291.tif 000004
【図３】
2005222291.tif 000005
【図４】
2005222291.tif 000006
【図５】
2005222291.tif 000007
【図６】
2005222291.tif 000008